(57)【要約】      （修正有）【課題】フィルターを濾過装置の真ん中に位置決めできる濾過装置の単体フィルター固定装置を提供する。【解決手段】濾過装置の単体フィルター固定装置は、少なくとも１つの軸体１０からなり、底端に第１結合部１１を備え、第１結合部と連結部品３０とにより、少なくとも１つの軸体は濾過装置２０内の中心底部に連結され、軸体によって、フィルター２１が濾過装置内に誘導されて、濾過装置の中心に固定される。【選択図】図３
0003226173.tif 000002
【実用新案登録請求の範囲】
【請求項１】
少なくとも１つの軸体からなる濾過装置における単体フィルター固定装置であって、
前記少なくとも１つの軸体の底端は、第１結合部を備えるとともに、前記第１結合部により、前記少なくとも１つの軸体が濾過装置内の中心底部に連結され、前記軸体によって、フィルターが前記濾過装置内に誘導されることで、前記フィルターが前記軸体によって前記濾過装置の中心に固定されるようにすることを特徴とする、濾過装置における単体フィルター固定装置。
【請求項２】
前記軸体の第１結合部は、連結部品に連結され、前記連結部品の中心は、結合孔を備え、前記連結部品の頂面は、土台部を備え、前記連結部品の外側には、複数の凹溝が設けられ、各前記凹溝内には、リング体が設けられ、前記連結部品は、前記結合孔によって、前記第１結合部に連結され、前記連結部品は、前記濾過装置内の中心底部において連結されることを特徴とする、請求項１に記載の濾過装置における単体フィルター固定装置。
【請求項３】
前記軸体の頂端は、第２結合部を備えるとともに、前記第２結合部により、別の軸体に連結されることを特徴とする、請求項２に記載の濾過装置における単体フィルター固定装置。
【請求項４】
各前記軸体の外側には、複数の片体が間隔をあけて設けられることを特徴とする、請求項３に記載の濾過装置における単体フィルター固定装置。
【請求項５】
各前記軸体の片体には、複数のスルーホールがそれぞれ設けられることを特徴とする、請求項４に記載の濾過装置における単体フィルター固定装置。
【請求項６】
各前記片体の幅は、前記土台部の幅よりも小さいまたは前記土台部の幅と同じであることを特徴とする、請求項５に記載の濾過装置における単体フィルター固定装置。
【請求項７】
前記フィルターの中心は、穿孔を備え、前記穿孔の直径は、前記軸体及び前記片体より大きいことを特徴とする、請求項４に記載の濾過装置における単体フィルター固定装置。
【請求項８】
前記フィルターの長さは、前記軸体より長いとともに、複数の軸体を連結した場合の長さよりも長いことを特徴とする、請求項７に記載の濾過装置における単体フィルター固定装置。
【考案の詳細な説明】
【技術分野】
【０００１】
本考案は、固定装置に関し、特に液体濾過装置に取り付けられる固定装置がフィルターガイド構造の機能を備えることで、フィルターが濾過装置の真ん中に位置するようにできる濾過装置における単体フィルター固定装置に関する。
【背景技術】
【０００２】
社会が発展するのに伴い、人々が求める生活ニーズも高まっており、特に、飲食面におけるニーズは他に増して高まっている。水は、人間にとって必要不可欠な物であるが、環境汚染が進むにつれて、現代の人々にとって、きれいな水を飲むことは非常に困難なこととなってきている。そのため、水中の有害物質や不要な不純物を取り除くことのできる様々な濾過装置が生産されている。
【０００３】
しかしながら、従来の濾過装置（水フィルター、浄水器）は、一定期間使用した後、いずれも、フィルターを交換する必要があるが、シリンダー、フィルター、及び、蓋体の取り外し方向が固定されているため、取り外し作業が不便であり、特に、一部の濾過装置は、スペースの制限により、さらに取り外しにくいという問題が存在する。
【０００４】
さらに、現在の濾過装置のフィルターは、いずれも、手動で交換する必要があるため、フィルターが偏りやすく、濾過装置上のカバーを無理にねじ込むと、フィルターが破損し、フィルターを損傷してしまう。
【考案の概要】
【考案が解決しようとする課題】
【０００５】
本考案は、液体濾過装置に取り付けられる固定装置がフィルターガイド構造の機能を備えることで、フィルターが濾過装置の真ん中に位置するようにできる濾過装置における単体フィルター固定装置を提供することを目的とする。
【課題を解決するための手段】
【０００６】
上述の欠点を踏まえて、本考案の濾過装置における単体フィルター固定装置は、少なくとも１つの軸体からなり、その底端は、第１結合部を備えるとともに、前記第１結合部により、濾過装置内の中心底部に連結され、前記軸体によって、フィルターが前記濾過装置内に誘導されることで、前記フィルターが前記軸体により前記濾過装置の中心に固定されるようにする。
【考案の効果】
【０００７】
本考案は、フィルターガイド構造の機能を備え、フィルターが濾過装置の真ん中に位置するようにできるという長所を備えることにより、従来のフィルターを取り付ける際に生じるフィルターの偏りを改善することができると同時に、フィルターの偏りによって引き起こされるフィルターの破損を防止することができる。
【図面の簡単な説明】
【０００８】
【図１】本考案の斜視外観図である。
【図２】本考案の斜視分解図である。
【図３】本考案における軸体と濾過装置を組み立てた場合の断面図である。
【図４】図３の部分拡大図である。
【図５】本考案における別の実施例の斜視分解図である。
【図６】本考案における別の実施例の断面図である。
【考案を実施するための形態】
【０００９】
図１及び図２を参照する。本考案の濾過装置における単体フィルター固定装置は、少なくとも１つの軸体１０からなる。
【００１０】
少なくとも１つの軸体１０の底端は、第１結合部１１を備えるとともに、前記第１結合部１１により、少なくとも１つの軸体１０は濾過装置２０内の中心底部に連結され、前記軸体１０によって、フィルター２１が前記濾過装置２０内に誘導されることで、前記フィルター２１が前記軸体１０によって前記濾過装置２０の中心に固定されるようにし、そのうち、前記軸体１０の外側には、必要に応じて、複数の片体１２が間隔をあけて設けられることができ、各前記片体１２には、スルーホール１２１が設けられ、片体１２及びスルーホール１２１により、濾過する際に、液体が誘導されるとともに、液体を流れやすくすることができる。
【００１１】
図３及び図４を参照する。濾過装置２０の中心底部には、座体２２が凸設され、前記第１結合部１１は、前記座体２２に連結され、濾過装置２０は、多様なサイズを備えるため、座体２２の大きさが第１結合部１１よりも大きい場合、連結部品３０を第１結合部１１で連結することができ、前記連結部品３０の中心は、結合孔３１を備え、前記連結部品３０の頂面は、土台部３２を備え、各前記片体１２の幅は、前記土台部３２の幅よりも小さいまたは前記土台部３２の幅と同じである。
【００１２】
前記連結部品３０の外側には、複数の凹溝３３が設けられ、各前記凹溝３３内には、リング体３４が設けられ、前記連結部品３０は、前記結合孔３１により前記第１結合部１１に連結され、前記連結部品３０は、前記濾過装置２０内の中心底部における座体２２において連結され、各前記リング体３４により、連結される際の密着度が高くなる。
【００１３】
さらに、前記フィルター２１の中心は、穿孔２１１を備え、前記穿孔２１１の直径は、前記軸体１０及び片体１２より大きいとともに、前記フィルター２１の長さは、前記軸体１０より長く且つ複数の軸体１０を連結した場合の長さよりも長い。
【００１４】
図５及び図６を参照する。本考案における別の実施例として、本実施例において、前記軸体１０の頂端は、第２結合部１３を備え、前記第２結合部１３により別の軸体１０に連結され、軸体１０の長さが延長されることで、比較的大型の濾過装置２０にも使用することができる。
【符号の説明】
【００１５】
１０  軸体
１１  第１結合部
１２  片体
１２１  スルーホール
１３  第２結合部
２０  濾過装置
２１  フィルター
２１１  穿孔
２２  座体
３０  連結部品
３１  結合孔
３２  土台部
３３  凹溝
３４  リング体
【図１】
0003226173.tif 000003
【図２】
0003226173.tif 000004
【図３】
0003226173.tif 000005
【図４】
0003226173.tif 000006
【図５】
0003226173.tif 000007
【図６】
0003226173.tif 000008